(57)【特許請求の範囲】
【請求項１】
複数の会議参加者のそれぞれの個人生産性と相関がある生体情報を計測する生体計測部と、
前記複数の会議参加者に会議の全体生産性を向上させる刺激を付与する刺激付与部と、
前記生体計測部により計測された結果に基づいて前記刺激付与部を制御する制御部と、を備え、
前記制御部は、
前記生体計測部により計測された複数の前記個人生産性と相関がある生体情報にそれぞれ対応する複数の個人生産性の値を取得する個人生産性取得部と、
前記個人生産性取得部により取得された前記複数の個人生産性の値を用いて、前記全体生産性の値を算出する全体生産性算出部と、
前記全体生産性算出部で算出された前記全体生産性の値が予め定められた閾値未満であるか否かを判定する判定部と、
前記判定部によって前記全体生産性の値が前記閾値未満であると判定された場合に、前記複数の会議参加者に前記全体生産性の値を増加させる刺激を付与するように、前記刺激付与部を駆動する駆動部と、を含み、
複数種類の会議のうちのいずれかを選択するための選択部を備え、
前記全体生産性算出部は、前記選択部により選択された前記会議の種類ごとに異なる態様で、前記全体生産性の値を算出する、会議システム。
【請求項２】
複数の会議参加者のそれぞれの個人生産性と相関がある生体情報を計測する生体計測部と、
前記複数の会議参加者に会議の全体生産性を向上させる刺激を付与する刺激付与部と、
前記生体計測部により計測された結果に基づいて前記刺激付与部を制御する制御部と、を備え、
前記制御部は、
前記生体計測部により計測された複数の前記個人生産性と相関がある生体情報にそれぞれ対応する複数の個人生産性の値を取得する個人生産性取得部と、
前記個人生産性取得部により取得された前記複数の個人生産性の値を用いて、前記全体生産性の値を算出する全体生産性算出部と、
前記全体生産性算出部で算出された前記全体生産性の値が予め定められた閾値未満であるか否かを判定する判定部と、
前記判定部によって前記全体生産性の値が前記閾値未満であると判定された場合に、前記複数の会議参加者に前記全体生産性の値を増加させる刺激を付与するように、前記刺激付与部を駆動する駆動部と、を含み、
前記全体生産性算出部は、
前記複数の個人生産性の値の単位時間当たりの相加平均値×第１の係数と、
前記複数の個人生産性の値から抽出され得る任意の２つ値の相関係数の単位時間当たりの相加平均値×第２の係数と、
初期値と、
を加えた値を、前記全体生産性の値として算出し、
会議の種類を選択するための選択部を備え、
前記第１の係数、前記第２の係数、および前記初期値は、前記選択部を用いて選択された会議の種類に応じて予め定められた値である、会議システム。
【請求項３】
前記全体生産性算出部は、前記複数の会議参加者の前記複数の個人生産性の値の平均値および中央値のいずれかを前記全体生産性として算出する、請求項１または２に記載の会議システム。
【請求項４】
前記生体計測部は、前記複数の会議参加者のそれぞれごとに、前記個人生産性と相関がある生体情報として、２種類以上の個人生産性と相関がある生体情報を計測し、
前記個人生産性取得部は、前記複数の会議参加者のそれぞれごとに、前記２種類以上の個人生産性と相関がある生体情報にそれぞれ対応する２種類以上の個人生産性の値を取得し、
前記全体生産性算出部は、前記複数の会議参加者のそれぞれごとに、前記２種類以上の個人生産性の値に基づいて、２種類以上の全体生産性の値を算出し、
前記判定部は、前記全体生産性算出部で算出された前記２種類以上の全体生産性の値のそれぞれが予め定められた前記閾値未満であるか否かを判定し、
前記刺激付与部は、前記判定部によって前記２種類以上の全体生産性の値のうちの少なくとも１つの全体生産性が前記閾値未満であると判定された場合に、前記複数の会議参加者に前記少なくとも１つの全体生産性の値を増加させる刺激を付与する、請求項１〜３のいずれかに記載の会議システム。
【請求項５】
前記生体計測部は、前記個人生産性と相関がある生体情報として、集中度と相関がある生体情報、コミュニケーション度と相関がある生体情報、およびリラックス度と相関がある生体情報のうちの少なくともいずれか１つを計測する、請求項１〜４のいずれかに記載の会議システム。
【請求項６】
複数の会議参加者のそれぞれの個人生産性と相関がある生体情報を計測する生体計測部と、
前記複数の会議参加者に会議の全体生産性を向上させる刺激を付与する刺激付与部と、
前記生体計測部により計測された結果に基づいて前記刺激付与部を制御する制御部と、を備えた、会議システムに用いられる会議システム用プログラムであって、
前記制御部としてのコンピュータを、
前記生体計測部により計測された複数の前記個人生産性と相関がある生体情報にそれぞれ対応する複数の個人生産性の値を取得する個人生産性取得部、
前記個人生産性取得部により取得された前記複数の個人生産性の値を用いて、前記全体生産性の値を算出する全体生産性算出部、
前記全体生産性算出部で算出された前記全体生産性の値が予め定められた閾値未満であるか否かを判定する判定部、および
前記判定部によって前記全体生産性の値が前記閾値未満であると判定された場合に、前記複数の会議参加者に前記全体生産性の値を増加させる刺激を付与するように、前記刺激付与部を駆動する駆動部、として機能させ、
複数種類の会議のうちのいずれかを選択するための選択部を備え、
前記全体生産性算出部は、前記選択部により選択された前記会議の種類ごとに異なる態様で、前記全体生産性の値を算出する、会議システム用プログラム。
【請求項７】
複数の会議参加者のそれぞれの個人生産性と相関がある生体情報を計測する生体計測部と、
前記複数の会議参加者に会議の全体生産性を向上させる刺激を付与する刺激付与部と、
前記生体計測部により計測された結果に基づいて前記刺激付与部を制御する制御部と、を備えた、会議システムに用いられる会議システム用プログラムであって、
前記制御部としてのコンピュータを、
前記生体計測部により計測された複数の前記個人生産性と相関がある生体情報にそれぞれ対応する複数の個人生産性の値を取得する個人生産性取得部、
前記個人生産性取得部により取得された前記複数の個人生産性の値を用いて、前記全体生産性の値を算出する全体生産性算出部、
前記全体生産性算出部で算出された前記全体生産性の値が予め定められた閾値未満であるか否かを判定する判定部、および
前記判定部によって前記全体生産性の値が前記閾値未満であると判定された場合に、前記複数の会議参加者に前記全体生産性の値を増加させる刺激を付与するように、前記刺激付与部を駆動する駆動部、として機能させ、
前記全体生産性算出部は、
前記複数の個人生産性の値の単位時間当たりの相加平均値×第１の係数と、
前記複数の個人生産性の値から抽出され得る任意の２つ値の相関係数の単位時間当たりの相加平均値×第２の係数と、
初期値と、
を加えた値を、前記全体生産性の値として算出し、
会議の種類を選択するための選択部を備え、
前記第１の係数、前記第２の係数、および前記初期値は、前記選択部を用いて選択された会議の種類に応じて予め定められた値である、会議システム用プログラム。
【発明の詳細な説明】
【技術分野】
【０００１】
本発明は、複数の会議参加者により開催される会議において使用される会議システムおよび会議システム用プログラムに関する。
【背景技術】
【０００２】
次の特許文献１には、会議中の声の大きさに基づいて、複数の会議参加者の興奮度合を検出し、その興奮度合が基準値を超えた場合に、複数の会議参加者の気持ちをリフレッシュするための香料を散布することが開示されている。特許文献１に開示された技術によれば、複数の会議参加者のいらだちの度合を低下させることができる。
【先行技術文献】
【特許文献】
【０００３】
【特許文献１】特開平７−２２１８９１号公報
【発明の概要】
【発明が解決しようとする課題】
【０００４】
上記の特許文献１に開示された技術によれば、声の大きさが閾値を超えた場合に、会議参加者に香料を散布する。そのため、会議参加者のいらだちの度合を低下させるだけなく、会議における議論の白熱の度合までも低下させてしまう。したがって、会議の生産性を向上させることができない。
【０００５】
本発明は、上述の問題に鑑みてなされたものであり、その目的は、会議の生産性を向上させることができる会議システムおよび会議システム用プログラムを提供することである。
【課題を解決するための手段】
【０００６】
本発明の第１の態様の会議システムは、複数の会議参加者のそれぞれの個人生産性と相関がある生体情報を計測する生体計測部と、前記複数の会議参加者に会議の全体生産性を向上させる刺激を付与する刺激付与部と、前記生体計測部により計測された結果に基づいて前記刺激付与部を制御する制御部と、を備え、前記制御部は、前記生体計測部により計測された複数の前記個人生産性と相関がある生体情報にそれぞれ対応する複数の個人生産性の値を取得する個人生産性取得部と、前記個人生産性取得部により取得された前記複数の個人生産性の値を用いて、前記全体生産性の値を算出する全体生産性算出部と、前記全体生産性算出部で算出された前記全体生産性の値が予め定められた閾値未満であるか否かを判定する判定部と、前記判定部によって前記全体生産性の値が前記閾値未満であると判定された場合に、前記複数の会議参加者に前記全体生産性の値を増加させる刺激を付与するように、前記刺激付与部を駆動する駆動部と、を含み、複数種類の会議のうちのいずれかを選択するための選択部を備え、前記全体生産性算出部は、前記選択部により選択された前記会議の種類ごとに異なる態様で、前記全体生産性の値を算出する。
本発明の第２の態様の会議システムは、複数の会議参加者のそれぞれの個人生産性と相関がある生体情報を計測する生体計測部と、前記複数の会議参加者に会議の全体生産性を向上させる刺激を付与する刺激付与部と、前記生体計測部により計測された結果に基づいて前記刺激付与部を制御する制御部と、を備え、前記制御部は、前記生体計測部により計測された複数の前記個人生産性と相関がある生体情報にそれぞれ対応する複数の個人生産性の値を取得する個人生産性取得部と、前記個人生産性取得部により取得された前記複数の個人生産性の値を用いて、前記全体生産性の値を算出する全体生産性算出部と、前記全体生産性算出部で算出された前記全体生産性の値が予め定められた閾値未満であるか否かを判定する判定部と、前記判定部によって前記全体生産性の値が前記閾値未満であると判定された場合に、前記複数の会議参加者に前記全体生産性の値を増加させる刺激を付与するように、前記刺激付与部を駆動する駆動部と、を含み、前記全体生産性算出部は、前記複数の個人生産性の値の単位時間当たりの相加平均値×第１の係数と、前記複数の個人生産性の値から抽出され得る任意の２つ値の相関係数の単位時間当たりの相加平均値×第２の係数と、初期値と、を加えた値を、前記全体生産性の値として算出し、会議の種類を選択するための選択部を備え、前記第１の係数、前記第２の係数、および前記初期値は、前記選択部を用いて選択された会議の種類に応じて予め定められた値である。
【０００７】
本発明の第３の態様の会議システム用プログラムは、複数の会議参加者のそれぞれの個人生産性と相関がある生体情報を計測する生体計測部と、前記複数の会議参加者に会議の全体生産性を向上させる刺激を付与する刺激付与部と、前記生体計測部により計測された結果に基づいて前記刺激付与部を制御する制御部と、を備えた、会議システムに用いられる会議システム用プログラムであって、前記制御部としてのコンピュータを、前記生体計測部により計測された複数の前記個人生産性と相関がある生体情報にそれぞれ対応する複数の個人生産性の値を取得する個人生産性取得部、前記個人生産性取得部により取得された前記複数の個人生産性の値を用いて、前記全体生産性の値を算出する全体生産性算出部、前記全体生産性算出部で算出された前記全体生産性の値が予め定められた閾値未満であるか否かを判定する判定部、および前記判定部によって前記全体生産性の値が前記閾値未満であると判定された場合に、前記複数の会議参加者に前記全体生産性の値を増加させる刺激を付与するように、前記刺激付与部を駆動する駆動部、として機能させ、複数種類の会議のうちのいずれかを選択するための選択部を備え、前記全体生産性算出部は、前記選択部により選択された前記会議の種類ごとに異なる態様で、前記全体生産性の値を算出する。
本発明の第４の態様の会議システム用プログラムは、複数の会議参加者のそれぞれの個人生産性と相関がある生体情報を計測する生体計測部と、前記複数の会議参加者に会議の全体生産性を向上させる刺激を付与する刺激付与部と、前記生体計測部により計測された結果に基づいて前記刺激付与部を制御する制御部と、を備えた、会議システムに用いられる会議システム用プログラムであって、前記制御部としてのコンピュータを、前記生体計測部により計測された複数の前記個人生産性と相関がある生体情報にそれぞれ対応する複数の個人生産性の値を取得する個人生産性取得部、前記個人生産性取得部により取得された前記複数の個人生産性の値を用いて、前記全体生産性の値を算出する全体生産性算出部、前記全体生産性算出部で算出された前記全体生産性の値が予め定められた閾値未満であるか否かを判定する判定部、および前記判定部によって前記全体生産性の値が前記閾値未満であると判定された場合に、前記複数の会議参加者に前記全体生産性の値を増加させる刺激を付与するように、前記刺激付与部を駆動する駆動部、として機能させ、前記全体生産性算出部は、前記複数の個人生産性の値の単位時間当たりの相加平均値×第１の係数と、前記複数の個人生産性の値から抽出され得る任意の２つ値の相関係数の単位時間当たりの相加平均値×第２の係数と、初期値と、を加えた値を、前記全体生産性の値として算出し、会議の種類を選択するための選択部を備え、前記第１の係数、前記第２の係数、および前記初期値は、前記選択部を用いて選択された会議の種類に応じて予め定められた値である。
【発明の効果】
【０００８】
本発明によれば、会議の生産性を向上させることができる。
【図面の簡単な説明】
【０００９】
【図１】本発明の実施の形態の会議システムの全体構成を説明するための概略構成図である。
【図２】本発明の実施の形態の会議システムの生体計測部による計測され得る個人生産性と相関がある生体情報の例を示す図である。
【図３】本発明の実施の形態の会議システムの刺激付与部による付与され得る会議全体生産性を向上させるための刺激の例を示す図である。
【図４】本発明の実施の形態の会議システムの刺激付与部が刺激を与えるタイミングの一例を説明するための図である。
【図５】本発明の実施の形態の会議システムの制御部の構成を説明するためのブロック図である。
【図６】本発明の実施の形態の会議システムの個人生産性取得部における個人生産性を取得するために用いられるデータテーブルの例を示す図である。
【図７】本発明の実施の形態の会議システムの制御部の他の例の構成を説明するためのブロック図である。
【図８】本発明の実施の形態の会議システムの各会議参加者のそれぞれの個人生産性取得部において取得される個人生産性を説明するための図である。
【図９】本発明の実施の形態の会議システムの全体生産性算出部における全体生産性の算出方法を説明するための図である。
【図１０】本発明の実施の形態の会議システムの会議の種類ごとの集中度、リラックス度、およびコミュニケーション度のそれぞれの係数および初期値を説明するための図である。
【図１１】本発明の実施の形態の会議システムの会議の種類ごとの集中度、リラックス度、およびコミュニケーション度のそれぞれを向上させるための刺激の付与のタイミングの一例を示す図である。
【発明を実施するための形態】
【００１０】
以下、本発明の実施形態について図面を参照しつつ詳細に説明する。
【００１１】
図１に示されるように、会議システム１００は、生体計測部１０と、制御部２０、刺激付与部３０と、選択部４０と、を備えている。本実施の形態においては、複数の会議参加者で開催される会議の一例として、会議参加者１，２，３，４の４人で開催される会議を例に挙げて、会議システム１００の利用方法が説明される。
【００１２】
生体計測部１０は、複数の会議参加者１，２，３，４のそれぞれの個人生産性と相関がある生体情報を計測する。生体計測部１０は、たとえば、画像取得部１０ａ、生理情報取得部１０ｂ、および音声取得部１０ｃ等である。本実施の形態においては、生体計測部１０は、複数種類の生体情報をする機器によって構成されているが、いずれか１種類の生体情報をする機器によって構成されていてもよい。
【００１３】
本実施の形態においては、画像取得部１０ａとしてのビデオカメラは、１台で複数の会議参加者１，２，３，４のそれぞれの撮影することができるものとする。この場合、後述される制御部２０は、１台のビデオカメラから送られてきた画像データ（たとえば、視線、瞳孔径）に基づいて、画像処理技術により複数の会議参加者１，２，３，４のそれぞれを個別に認識することができるものとする。ただし、複数のビデオカメラがそれぞれ複数の会議参加者１，２，３，４を撮影し、それぞれのビデオカメラが撮影した画像データ（たとえば、視線、瞳孔径）が後述される制御部２０に送られてもよい。
【００１４】
生理情報取得部１０ｂは、複数の会議参加者１，２，３，４のためにそれぞれ設けられた複数の脳波計１０１ｂ，１０２ｂ，１０３ｂ，１０４ｂである。複数の脳波計１０１ｂ，１０２ｂ，１０３ｂ，１０４ｂは、それぞれ、複数の会議参加者１，２，３，４の脳波を測定することがきる。音声取得部１０ｃは、複数の会議参加者１，２，３，４のためにそれぞれ設けられた複数のマイクロフォン１０１ｃ，１０２ｃ，１０３ｃ，１０４ｃである。複数のマイクロフォン１０１ｃ，１０２ｃ，１０３ｃ，１０４ｃは、それぞれ、複数の会議参加者１，２，３，４の音声を取得することができる。マイクロフォンは、図１に示されるような会議参加者１，２，３，４のそれぞれの目の前または机上に設置されるものだけに限定されない。マイクロフォンは、会議参加者１，２，３，４のそれぞれに取り付けられるピンマイクまたは会議参加者１，２，３，４に意識されないようにデスクの中に埋め込まれているものであってもよい。
【００１５】
本実施の形態の生体計測部１０は、上記のようなものが用いられるが、本発明の生体計測部は、複数の会議参加者のそれぞれの個人生産性と相関がある生体情報を計測することができるものであれば、上記したもの以外のものであってもよい。
【００１６】
刺激付与部３０は、複数の会議参加者１，２，３，４に会議の全体生産性を向上させる刺激を付与する。刺激付与部３０は、たとえば、照明器具３０ａ、映写機３０ｂ、スピーカ３０ｃ、および空気調和機３０ｄ等である。照明器具３０ａは、点灯する光の強度の変化、点灯と消灯との繰り返しによる変化、または、点灯する色の変化等の照明器具の照明態様の変化により、複数の会議参加者１，２，３，４の眼に刺激を与えるものである。映写機３０ｂは、映し出される映像の変化により、複数の会議参加者１，２，３，４の眼に刺激を与えるものである。つまり、照明器具３０ａおよび映写機３０ｂは、いずれも、視覚刺激を生じさせるものである。スピーカ３０ｃは、バックグラウンドミュージック等により、複数の会議参加者１，２，３，４の耳に刺激を与えるものである。つまり、スピーカ３０ｃは、な聴覚刺激を生じさせものである。空気調和機３０ｄは、温風もしくは冷風を流すことにより、または、送り出す風に芳香剤を加えること等により、複数の会議参加者１，２，３，４の皮膚または鼻に刺激を与えるものである。空気調和機３０ｄは、臭覚刺激および触覚（皮膚感覚）刺激のうちの少なくともいずれか一方を生じさせるものである。
【００１７】
刺激付与部３０は、上記以外に、図示されていないが、コップに入った水の提供する機器等の会議参加者の行動を通じて味覚刺激を生じさせるものであってもよい。つまり、刺激付与部３０は、人間の五感のいずれかに刺激を与えることにより、会議の全体生産性を向上させるものであれば、いかなるものであってもよい。
【００１８】
図１に示されるように、会議システム１００は、複数種類の会議α，β，γのうちのいずれかを選択するための選択部４０を備えている。したがって、会議システム１００の使用者は、会議の種類に応じて、刺激の付与のタイミングおよび刺激付与の態様を異ならせることができる。
【００１９】
図２に示されるように、個人生産性と相関がある生体情報は、生理情報および行動情報を含む。個人生産性の大小は、主に、集中度と相関がある生体情報の値、リラックス度と相関がある生体情報の値、およびコミュニケーション度と相関がある生体情報の値等によって評価され得る。
【００２０】
集中度と相関がある生体情報は、脳波（β波，θ波）、脳血流量変化、ＥＦＲＰ（眼球停留関連電位）、発汗量、末梢皮膚温度変化、交換神経活動、視線変化、瞳孔径、姿勢、血圧変化、および心拍数変化等である。複数の会議参加者のそれぞれの集中度と相関がある生体情報であれば、個人生産性と相関がある生体情報として、他のいかなる生体情報が用いられてもよい。
【００２１】
本実施の形態においては、たとえば、画像取得部１０ａによって撮影された視線の変化または瞳孔径の変化のデータが制御部２０に送信される。制御部２０は、視線の変化または瞳孔径の変化のデータに基づいて、複数の会議参加者１，２，３，４のそれぞれの集中度を取得するものとする。
【００２２】
リラックス度と相関がある生体情報は、脳波（α波，β波，θ波）、脳幹活動、動作、および姿勢等である。複数の会議参加者のそれぞれのリラックス度と相関がある生体情報であれば、個人生産性と相関がある生体情報として、他のいかなる生体情報が用いられてもよい。
【００２３】
本実施の形態においては、たとえば、脳波計１０１ｂ，１０２ｂ，１０３ｂ，１０４ｂによって取得された複数の会議参加者１，２，３，４のそれぞれのα波，β波，θ波のデータが制御部２０に送信される。制御部２０は、α波，β波，θ波のデータに基づいて、複数の会議参加者１，２，３，４のそれぞれのリラックス度を取得するものとする。脳波を計測するために、複数の会議参加者１，２，３，４のそれぞれの身体に装着する脳波計１０１ａ，１０２ａ，１０３ａ，１０４ａを接触させる必要がある場合には、イヤホン形状の脳波計または眼鏡形状の脳波計等が用いられてもよい。このように、複数の会議参加者１，２，３，４のそれぞれの身体に接触する脳波計が用いられると、脳波の計測の精度が向上する。
【００２４】
コミュニケーション度と相関がある生体情報は、発話数、声質、声量、手振り動作、表情、および視線等である。複数の会議参加者１，２，３，４のそれぞれのコミュニケーション度と相関がある生体情報であれば、個人生産性として他のいかなる生体情報が用いられてもよい。本実施の形態においては、たとえば、マイクロフォン１０１ｃ，１０２ｃ，１０３ｃ，１０４ｃによって取得された複数の会議参加者１，２，３，４のそれぞれの音声のデータが制御部２０に送信される。制御部２０は、複数の会議参加者１，２，３，４のそれぞれの音声のデータに基づいて、複数の会議参加者１，２，３，４のそれぞれのコミュニケーション度を取得するものとする。
【００２５】
個人生産性と相関がある指標であれば、集中度、リラックス度、およびコミュニケーション度以外の他の指標が用いられてもよい。
【００２６】
図３に示されるように、刺激付与部３０は、たとえば、熱環境、空気環境、光環境、および音環境のいずれかを変化させるものであれば、上記したもの以外のいかなるものであってもよい。熱環境の変化は、たとえば、温熱感、気流感、および清涼感等の変化である。空気環境の変化は、たとえば、におい、清浄度、および乾燥感等の変化である。光環境の変化は、明視性、グレア、採光性、配光、および色等の変化である。音環境の変化は、たとえば、静音性、遮音性、および音声明瞭度等の変化である。
【００２７】
図４に示されるように、本実施の形態の会議システム１００は、たとえば、複数の会議参加者１，２，３，４の集中度が同期して低下した時点で、全体生産性が低下したと判断する。この場合、制御部２０は、刺激付与部３０としての照明器具３０ａを、相対的に低い照度かつ相対的に低い色温度の通常照明の状態から相対的に高い照度かつ相対的に高い色温度の集中照明の状態へ変化させる。それにより、複数の会議参加者１，２，３，４により開催されている会議の生産性を向上させることができる。
【００２８】
図５に示されるように、制御部２０は、生体計測部１０により計測された結果に基づいて刺激付与部３０を制御する。制御部２０は、個人生産性取得部２１と、全体生産性算出部２２と、判定部２３と、駆動部２４と、を含んでいる。制御部２０は、図１に示されるように、記憶部２５を含み、会議システム用プログラムは、記憶部２５に記憶されている。会議システム用プログラムは、制御部２０としてのコンピュータを、個人生産性取得部２１と、全体生産性算出部２２と、判定部２３と、駆動部２４とのそれぞれとして機能させるものである。
【００２９】
個人生産性取得部２１は、生体計測部１０により計測された複数の個人生産性と相関がある生体情報にそれぞれ対応する複数の個人生産性の値を取得する。具体的には、個人生産性取得部２１においては、会議参加者１の生体計測部１０から送信されてきた生体情報が集中度取得部２１１ａ、リラックス取得部度２１１ｂ、およびコミュニケーション取得部度２１１ｃのそれぞれへ送信される。会議参加者２の生体計測部１０から送信されてきた生体情報が集中度取得部２１２ａ、リラックス度取得部２１２ｂ、およびコミュニケーション度取得部２１２ｃのそれぞれへ送信される。会議参加者３の生体計測部１０から送信されてきた生体情報が集中度取得部２１３ａ、リラックス度取得部２１３ｂ、およびコミュニケーション度取得部２１３ｃのそれぞれへ送信される。会議参加者４の生体計測部１０から送信されてきた生体情報が集中度取得部２１４ａ、リラックス度取得部２１４ｂ、およびコミュニケーション度取得部２１４ｃのそれぞれへ送信される。
【００３０】
図６に示されるように、集中度、コミュニケーション度、およびリラックス度は、それぞれ、制御部２０の記憶部２５に記憶された個人生産性データテーブルを用いて取得される。個人生産性データテーブルは、集中度データテーブル、リラックス度データテーブル、およびコミュニケーション度データテーブルを含んでいる。
【００３１】
集中度データテーブルは、たとえば、集中度と相関がある視線および瞳孔径の組合せの値のデータａ１・・ａｋ・・ａｎとそれに対応する集中度の値のデータＡ１・・Ａｋ・・Ａｎとを対応付けて記憶している（ｋは１〜ｎまでの自然数）。リラックス度データテーブルは、たとえば、リラックス度と相関がある脳波の値のデータｒ１・・ｒｋ・・ｒｎとそれに対応するリラックス度の値のデータＲ１・・Ｒｋ・・Ｒｎとを対応付けて記憶している（ｋは１〜ｎまでの自然数）。コミュニケーション度データテーブルは、たとえば、コミュニケーション度と相関がある音声の値のデータｃ１・・ｃｋ・・ｃｎとそれに対応するコミュニケーション度の値のデータＣ１・・Ｃｋ・・Ｃｎとを対応付けて記憶している（ｋは１〜ｎまでの自然数）。
【００３２】
生体計測部１０から送信されてきた複数の生体情報の値を用いて、複数の会議参加者１，２，３，４の複数の個人生産性としての集中度の値が、それぞれ、集中度取得部２１１ａ，２１２ａ，２１３ａ，２１４ａで取得される。集中度取得部２１１ａ，２１２ａ，２１３ａ，２１４ａにおいては、複数の生体情報のそれぞれに対応する集中度の値が、集中度データテーブルから取得される。取得された複数の集中度の値が、それぞれ、集中度取得部２１１ａ，２１２ａ，２１３ａ，２１４ａから全体生産性算出部２２の会議全体集中度算出部２２０ａへ送信される。
【００３３】
生体計測部１０から送信されてきた複数の生体情報の値を用いて、複数の会議参加者１，２，３，４の複数の個人生産性としてのリラックス度の値が、それぞれ、リラックス度取得部２１１ｂ，２１２ｂ，２１３ｂ，２１４ｂで取得される。リラックス度取得部２１１ｂ，２１２ｂ，２１３ｂ，２１４ｂにおいては、複数の生体情報のそれぞれに対応するリラックス度の値が、リラックス度データテーブルから取得される。複数のリラックス度の値が、それぞれ、リラックス度取得部２１１ｂ，２１２ｂ，２１３ｂ，２１４ｂから全体生産性算出部２２の会議全体リラックス度算出部２２０ｂへ送信される。
【００３４】
生体計測部１０から送信されてきた複数の生体情報の値を用いて、複数の会議参加者１，２，３，４の複数の個人生産性としてのコミュニケーション度の値が、それぞれ、コミュニケーション度取得部２１１ｃ，２１２ｃ，２１３ｃ，２１４ｃで取得される。コミュニケーション度取得部２１１ｃ，２１２ｃ，２１３ｃ，２１４ｃにおいては、複数の生体情報のそれぞれに対応するコミュニケーション度の値が、コミュニケーション度データテーブルから取得される。複数の会議参加者１，２，３，４の複数のコミュニケーション度の値が、それぞれ、コミュニケーション度取得部２１１ｃ，２１２ｃ，２１３ｃ，２１４ｃから全体生産性算出部２２の会議全体コミュニケーション度算出部２２０ｃへ送信される。
【００３５】
全体生産性算出部２２は、個人生産性取得部２１により取得された複数の個人生産性の値を用いて、全体生産性の値を算出する。全体生産性算出部２２は、会議全体集中度算出部２２０ａ、会議全体リラックス度算出部２２０ｂ、および会議全体コミュニケーション度算出部２２０ｃを含んでいる。
【００３６】
図５に示されるように、会議システム１００は、複数種類の会議α，β，γのうちのいずれかを選択するための選択部４０を備えている。全体生産性算出部２２は、選択部４０により選択された会議の種類ごとに異なる態様で、全体生産性の値を算出する。この異なる態様での全体生産性の算出方法は、後述される。
【００３７】
会議全体集中度算出部２２０ａにおいて、複数の会議参加者１，２，３，４の複数の集中度の値を用いて、全体生産性として会議全体集中度の値が算出される。会議全体集中度算出部２２０ａにおいて算出された会議全体集中度の値のデータは、判定部２３の集中度閾値判定部２３０ａへ送られる。
【００３８】
会議全体リラックス度算出部２２０ｂにおいて、複数の会議参加者１，２，３，４の複数のリラックス度の値を用いて、全体生産性として会議全体リラックス度の値が算出される。会議全体リラックス度算出部２２０ｂにおいて算出された会議全体リラックス度の値のデータは、判定部２３のリラックス度閾値判定部２３０ｂへ送られる。
【００３９】
会議全体コミュニケーション度算出部２２０ｃにおいて、複数の会議参加者１，２，３，４の複数のコミュニケーション度の値を用いて、全体生産性として会議全体コミュニケーション度の値が算出される。会議全体コミュニケーション度算出部２２０ｃにおいて算出された会議全体コミュニケーション度の値のデータは、判定部２３のコミュニケーション度閾値判定部２３０ｃへ送られる。
【００４０】
判定部２３は、全体生産性算出部２２で算出された全体生産性の値が予め定められた閾値未満であるか否かを判定する。判定部２３は、集中度閾値判定部２３０ａ、リラックス度閾値判定部２３０ｂ、コミュニケーション度閾値判定部２３０ｃを含んでいる。
【００４１】
集中度閾値判定部２３０ａは、会議全体集中度の値が予め定められた閾値未満であるか否かを判定する。リラックス度閾値判定部２３０ｂは、会議全体リラックス度の値が予め定められた閾値未満であるか否かを判定する。コミュニケーション度閾値判定部２３０ｃは、コミュニケーション度の値が予め定められた閾値未満であるか否かを判定する。
【００４２】
駆動部２４は、判定部２３によって全体生産性の値が閾値未満であると判定された場合に、複数の会議参加者１，２，３，４に全体生産性の値を増加させる刺激を付与するように、刺激付与部３０を駆動する。駆動部２４は、駆動部２４ａ、駆動部２４ｂ、および駆動部２４ｃを含んでいる。駆動部２４ａは、集中度閾値判定部２３０ａによって会議全体集中度の値が閾値未満であると判定された場合に、集中度を向上させる刺激付与部３０を駆動させ、複数の会議参加者１，２，３，４に刺激を付与する。駆動部２４ｂは、リラックス度閾値判定部２３０ｂによって会議全体リラックス度の値が閾値未満であると判定された場合に、リラックス度を向上させる刺激付与部３０を駆動させ、複数の会議参加者１，２，３，４に刺激を付与する。駆動部２４ｃは、コミュニケーション度閾値判定部２３０ｃによって会議全体コミュニケーション度の値が閾値未満であると判定された場合に、コミュニケーション度を向上させる刺激付与部３０を駆動させ、複数の会議参加者１，２，３，４に刺激を付与する。
【００４３】
上記の構成によれば、複数の会議参加者１，２，３，４により開催される会議の全体生産性を向上させることができる。
【００４４】
図５に示されるように、本実施の形態においては、生体計測部１０は、複数の会議参加者１，２，３，４のそれぞれごとに、個人生産性と相関がある生体情報として、２種類以上の個人生産性と相関がある生体情報を計測する。具体的には、生体計測部１０は、複数の会議参加者１，２，３，４ごとに、個人生産性と相関がある生体情報として、集中度、リラックス度、およびコミュニケーション度からなる３種類の個人生産性と相関がある生体情報を計測する。
【００４５】
また、個人生産性取得部２１は、複数の会議参加者１，２，３，４のそれぞれごとに、２種類以上の個人生産性と相関がある生体情報にそれぞれ対応する２種類以上の個人生産性の値を取得する。具体的には、個人生産性取得部２１は、複数の会議参加者１，２，３，４のそれぞれごとに、集中度、リラックス度、およびコミュニケーション度からなる３種類の個人生産性と相関がある生体情報にそれぞれ対応する３種類の個人生産性の値を取得する。
【００４６】
さらに、全体生産性算出部２２は、複数の会議参加者１，２，３，４のそれぞれごとに、２種類以上の個人生産性の値に基づいて、２種類以上の全体生産性の値を算出する。具体的には、全体生産性算出部２２は、複数の会議参加者１，２，３，４のそれぞれごとに、集中度、リラックス度、およびコミュニケーション度からなる３種類の個人生産性の値に基づいて、３種類の全体生産性の値を算出する。
【００４７】
それにより、判定部２３は、全体生産性算出部２２で算出された２種類以上の全体生産性の値のそれぞれが予め定められた閾値未満であるか否かを判定する。具体的には、判定部２３は、全体生産性算出部２２で算出された集中度、リラックス度、およびコミュニケーション度からなる３種類の全体生産性の値のそれぞれが予め定められた閾値未満であるか否かを判定する。
【００４８】
刺激付与部３０は、判定部２３によって２種類以上の全体生産性の値のうちの少なくとも１つの全体生産性が閾値未満であると判定された場合に、複数の会議参加者１，２，３，４に少なくとも１つの全体生産性の値を増加させる刺激を付与する。具体的には、判定部２３によって集中度、リラックス度、およびコミュニケーション度からなる３種類の全体生産性の値のうちの少なくとも１つの全体生産性が閾値未満であると判定される場合がある。この場合には、刺激付与部３０は、複数の会議参加者１，２，３，４に少なくとも１つの全体生産性の値を増加させる刺激を付与する。
【００４９】
上記の構成によれば、複数種類の全体生産性の指標のうちのいずれか１つが閾値未満である場合に、会議の生産性を向上させることができる。したがって、様々な角度から会議の全体生産性の低下を防止することができる。
【００５０】
本実施の形態においては、集中度、リラックス度、およびコミュニケーション度からなる３種類の個人生産性と相関がある生体情報が用いられている。しかしながら、生体計測部１０は、集中度と相関がある生体情報、コミュニケーション度と相関がある生体情報、およびリラックス度と相関がある生体情報のうちのうちの少なくともいずれか１つを計測するものであってもよい。この場合においても、会議全体の集中度、コミュニケーション度、およびリラックス度のうちの少なくともいずれか１つを向上させることができる。
【００５１】
図７に示されるように、たとえば、生体計測部１０は、個人生産性と相関がある生体情報として、集中度と相関がある生体情報のみを計測するものであってもよい。図示していないが、生体計測部１０は、個人生産性と相関がある生体情報として、リラックス度と相関がある生体情報のみを計測するものであってもよい。図示していないが、生体計測部１０は、個人生産性と相関がある生体情報として、コミュニケーション度と相関がある生体情報のみを計測するものであってもよい。
【００５２】
図８には、生体計測部１０によって計測される生体情報に基づいて個人生産性取得部２１において取得される複数の会議参加者１，２，３，４のそれぞれの集中度の時系列的なデータがグラフで示されている。全体生産性算出部２２においては、この図８に示される複数の会議参加者１，２，３，４のそれぞれの集中度の時系列的なデータが重ね合わせられる。それにより、図９に示されるような複数の会議参加者１，２，３，４の集中度の重ね合わせのグラフが得られる。
【００５３】
本実施の形態の会議システム１００においては、図９から分かるように、複数の会議参加者１，２，３，４の集中度の単位時間あたりの平均値と、複数の会議参加者１，２，３，４同士の間の集中度の同期現象とを用いて、全体生産性を算出する。集中度の同期現象は、複数の集中度同士の間の相関係数によって特定される。
【００５４】
本実施の形態においては、全体生産性算出部２２は、次の３つの要素（ｉ）〜（iii）を加えた値を、全体生産性の値として算出する。
【００５５】
（ｉ）  複数の個人生産性の値の単位時間当たりの相加平均値×第１の係数Ａ，Ｄ，またはＧ
（ii）  複数の個人生産性の値から抽出され得る任意の２つの値の相関係数の単位時間当たりの相加平均値（同期現象）×第２の係数Ｂ，Ｅ，またはＨ
複数の個人生産性の値から抽出され得る任意の２つの値の相関係数は、複数の個人生産性の組合せの数だけ存在する。たとえば、複数の個人生産性の値が、Ｓ，Ｔ，Ｕ，Ｗの４つである場合を考える。この場合、Ｓ，Ｔ，Ｕ，Ｗの４つの数値の組合せの数だけ相関係数が得られる。つまり、個人生産性の値ＳとＴとの相関係数Ｚ１、個人生産性の値ＳとＵとの相関係数Ｚ２、および個人生産性の値ＳとＷとの相関係数Ｚ３が得られる。また、個人生産性の値ＴとＵとの相関係数Ｚ４、個人生産性の値ＴとＷとの相関係数Ｚ５、および個人生産性の値ＷとＵとの相関係数Ｚ６が得られる。つまり、６つの組合せの相関係数Ｚ１，Ｚ２，Ｚ３，Ｚ４，Ｚ５，Ｚ６が得られる。したがって、得られた相関係数を全て加算し、その得られた加算値を相関係数の組合せの数で割ると、複数の個人生産性の値から抽出され得る任意の２つの値の相関係数の単位時間当たりの相加平均値（同期現象）が得られる。具体的には、相関係数＝（Ｚ１＋Ｚ２＋Ｚ３＋Ｚ４＋Ｚ５＋Ｚ６）／６である。
【００５６】
（iii）  初期値Ｃ，Ｆ，またはＩ（初期値はゼロであってもよい。）
複数の会議参加者１，２，３，４の相関係数は、複数の会議参加者１，２，３，４のうちのいずれか２人を参加者Ｘおよび参加者Ｙとしたときに、次の式（１）によって算出される。
【００５７】
【数１】
0006355050.tif 000002
たとえば、複数の会議参加者１，２，３，４が、それぞれ、複数の個人生産性Ｊ，Ｋ，Ｌ，Ｍの会議状態であるとする。このとき、
複数の個人生産性の値の単位時間当たりの相加平均値Ｏ＝
（個人生産性Ｊ＋個人生産性Ｋ＋個人生産性Ｌ＋個人生産性Ｍ）÷人数（４人）
複数の個人生産性の値から抽出され得る任意の２つの値の相関係数の単位時間当たりの相加平均値（同期現象）Ｐ＝
（個人生産性ＪとＫとの相関係数＋個人生産性ＪとＬとの相関係数＋個人生産性ＪとＭとの相関係数＋個人生産性ＫとＬとの相関係数＋個人生産性ＫとＭとの相関係数＋個人生産性ＬとＭとの相関係数）÷相関係数の数（６つ）
したがって、全体生産性の値は、Ｏ×第１の係数（Ａ，Ｄ，またはＧ）＋Ｐ×第２の係数（Ｂ，Ｅ，またはＩ）＋初期値（Ｃ，Ｆ，またはＩ）である。
【００５８】
上記の構成によれば、会議の種類に応じて、個人生産性の平均値および個人生産性の相関係数のそれぞれの影響が反映された全体生産性の値を算出することが可能になる。
【００５９】
より具体的に説明すると、会議全体集中度、会議全体リラックス度、および会議全体コミュニケーション度は、次の式により計算される。
【００６０】
本実施の形態においては、全体生産性算出部２２は、次の３つの要素（ｉ）〜（iii）を加えた値を、会議全体集中度の値として算出する。
【００６１】
（ｉ）  複数の集中度の値の単位時間当たりの相加平均値×第１の係数Ａ
（ii）  複数の集中度の値から抽出され得る任意の２つの集中度の値の相関係数の相加平均値（同期現象）×第２の係数Ｂ
（iii）  初期値Ｃ
たとえば、複数の会議参加者１，２，３，４が、それぞれ、複数の集中度ＡＪ，ＡＫ，ＡＬ，ＡＭの会議状態であるとする。このとき、
複数の集中度の単位時間当たりの相加平均値ＡＯ＝
（ＡＪ＋ＡＫ＋ＡＬ＋ＡＭ）÷人数（４人）
複数の集中度から抽出され得る任意の２つの集中度の相関係数の単位時間当たりの相加平均値（同期現象）ＡＰ＝
（ＡＪとＡＫとの相関係数＋ＡＪとＡＬとの相関係数＋ＡＪとＡＭとの相関係数＋ＡＫとＡＬとの相関係数＋ＡＫとＡＭとの相関係数＋ＡＬとＡＭとの相関係数）÷相関係数の数（６つ）
したがって、会議全体集中度は、ＡＯ×第１の係数Ａ＋ＡＰ×第２の係数Ｂ＋初期値Ｃである。
【００６２】
本実施の形態においては、全体生産性算出部２２は、次の３つの要素（ｉ）〜（iii）を加えた値を、会議全体リラックス度の値として算出する。
【００６３】
（ｉ）  複数のリラックス度の値の単位時間当たりの相加平均値×第１の係数Ｄ
（ii）  複数のリラックス度の値から抽出され得る任意の２つのリラックス度の値の相関係数の相加平均値（同期現象）×第２の係数Ｅ
（iii）  初期値Ｆ
たとえば、複数の会議参加者１，２，３，４が、それぞれ、複数のリラックス度ＲＪ，ＲＫ，ＲＬ，ＲＭの会議状態であるとする。このとき、
複数のリラックス度の単位時間当たりの相加平均値ＲＯ＝
（ＲＪ＋ＲＫ＋ＲＬ＋ＲＭ）÷人数（４人）
複数のリラックス度から抽出され得る任意の２つのリラックス度の相関係数の単位時間当たりの相加平均値（同期現象）ＲＰ＝
（ＲＪとＲＫとの相関係数＋ＲＪとＲＬとの相関係数＋ＲＪとＲＭとの相関係数＋ＲＫとＲＬとの相関係数＋ＲＫとＲＭとの相関係数＋ＲＬとＲＭとの相関係数）÷相関係数の数（６つ）
したがって、会議全体リラックス度は、ＲＯ×第１の係数Ｄ＋ＲＰ×第２の係数Ｅ＋初期値Ｆである。
【００６４】
本実施の形態においては、全体生産性算出部２２は、次の３つの要素（ｉ）〜（iii）を加えた値を、会議全体コミュニケーション度の値として算出する。
【００６５】
（ｉ）  複数のコミュニケーション度の値の単位時間当たりの相加平均値×第１の係数Ｇ
（ii）  複数のコミュニケーション度の値から抽出され得る任意の２つのコミュニケーション度の値の相関係数の相加平均値（同期現象）×第２の係数Ｅ
（iii）  初期値Ｈ
たとえば、複数の会議参加者１，２，３，４が、それぞれ、複数のコミュニケーション度ＣＪ，ＣＫ，ＣＬ，ＣＭの会議状態であるとする。このとき、
複数のコミュニケーション度の単位時間当たりの相加平均値ＣＯ＝
（ＣＪ＋ＣＫ＋ＣＬ＋ＣＭ）÷人数（４人）
複数のコミュニケーション度から抽出され得る任意の２つのコミュニケーション度の相関係数の単位時間当たりの相加平均値（同期現象）ＣＰ＝
（ＣＪとＣＫとの相関係数＋ＣＪとＣＬとの相関係数＋ＣＪとＣＭとの相関係数＋ＣＫとＣＬとの相関係数＋ＣＫとＣＭとの相関係数＋ＣＬとＣＭとの相関係数）÷相関係数の数（６つ）
したがって、会議全体コミュニケーション度は、ＣＯ×第１の係数Ｇ＋ＣＰ×第２の係数Ｈ＋初期値Ｉである。
【００６６】
前述のように、会議システム１００は、複数種類の会議α，β，γのうちのいずれかを選択するための選択部４０を備えている。全体生産性算出部２２は、選択部４０により選択された会議の種類ごとに異なる態様で、全体生産性の値を算出する。具体的には、本実施の形態においては、第１の係数Ａ，Ｄ，Ｇ、第２の係数Ｂ，Ｅ，Ｈ、および初期値Ｃ，Ｆ，Ｉは、選択部４０を用いて選択された会議の種類に応じて予め定められた値である。したがって、会議の種類に応じて、複数の会議参加者１，２，３，４の個人生産性の低下の同期が会議に与える悪影響を抑制することができる。
【００６７】
ただし、全体生産性算出部２２は、複数の個人生産性の値の単位時間当たりの平均値を全体生産性の値として算出してもよい。この構成によれば、複数の会議参加者１，２，３，４の個人生産性の平均値を向上させることができる。また、全体生産性算出部２２は、複数の個人生産性の値の単位時間当たりの中央値を全体生産性の値として算出してもよい。この構成によれば、複数の会議参加者１，２，３，４の個人生産性の中央値を向上させることができる。ただし、この場合、数の会議参加者の数が偶数である場合には、２つの中央値の平均値を中央値として用いるものとする。
【００６８】
図１０に示されるように、会議α，β，γは、それぞれ、次のようなものが考えられる。
【００６９】
会議αは、ブレーンストーミング会議である。会議αでは、集中度の相加平均値と集中度の同期現象との双方が重要であるため、Ａ≒Ｂ（＞０）である。会議αでは、リラックス度の相加平均値とリラックス度の同期現象との双方が重要であるため、Ｄ≒Ｅ（＞０）である。会議αでは、コミュニケーション度の相加平均値は重要であるが、コミュニケーション度の同期現象（同時発言）はないことが好ましいため、Ｇ＞Ｈ（Ｇ＞０，Ｈ＜０）である。
【００７０】
会議βは、指示命令会議または連絡型会議である。会議βでは、集中度の相加平均値は集中度の同期現象よりも重要であるため、Ａ＞Ｂ（＞０）である。会議βでは、リラックス度の相加平均値とリラックス度の同期現象との双方があまり重要ではないため、Ｄ≒Ｅ≒０である。会議βでは、コミュニケーション度の相加平均値はあまり重要ではなく、コミュニケーション度の同期現象（同時発言）はないことが好ましいため、Ｇ≒０かつＨ＜０である。
【００７１】
会議γは、意志決定会型議、コーチング会議、または本質問題発見・解決会議である。会議γでは、集中度の相加平均値と集中度の同期現象との双方が重要であるため、Ａ≒Ｂ（＞０）である。会議γでは、リラックス度の相加平均値よりもリラックスの同期現象のほうが重要であるため、Ｄ＜Ｅ（Ｄ＞，Ｅ＞０）である。会議γでは、コミュニケーション度の相加平均値は重要であるが、コミュニケーション度の同期現象（同時発言）はないことが好ましいため、Ｇ＞Ｈ（Ｇ＞０，Ｈ＜０）である。
【００７２】
図１１に示されるように、本実施の形態の会議システム１００においては、複数の会議参加者１，２，３，４に個人生産性を向上させる刺激が付与される。
【００７３】
以下、本実施の形態の会議システム１００の特徴およびそれにより得られる効果を記載する。
【００７４】
（１）  会議システム１００は、生体計測部１０と、刺激付与部３０と、制御部２０と、を備えている。生体計測部１０は、複数の会議参加者１，２，３，４のそれぞれの個人生産性と相関がある生体情報を計測する。刺激付与部３０は、複数の会議参加者１，２，３，４に会議の全体生産性を向上させる刺激を付与する。制御部２０は、生体計測部１０により計測された結果に基づいて刺激付与部３０を制御する。制御部２０は、個人生産性取得部２１と、全体生産性算出部２２と、判定部２３と、駆動部２４と、を含んでいる。
【００７５】
個人生産性取得部２１は、生体計測部１０により計測された複数の個人生産性と相関がある生体情報にそれぞれ対応する複数の個人生産性の値を取得する。全体生産性算出部２２は、個人生産性取得部２１により取得された複数の個人生産性の値を用いて、全体生産性の値を算出する。判定部２３は、全体生産性算出部２２で算出された全体生産性の値が予め定められた閾値未満であるか否かを判定する。駆動部２４は、判定部２３によって全体生産性の値が閾値未満であると判定された場合に、複数の会議参加者１，２，３，４に全体生産性の値を増加させる刺激を付与するように、刺激付与部３０を駆動する。
【００７６】
上記の構成によれば、複数の会議参加者１，２，３，４により開催される会議の全体生産性を向上させることができる。
【００７７】
（２）  会議システム１００は、複数種類の会議α，β，γのうちのいずれかを選択するための選択部４０を備えていることが好ましい。この場合、全体生産性算出部２２は、選択部４０により選択された会議α，β，γの種類ごとに異なる態様で、全体生産性の値を算出する。
【００７８】
上記の構成によれば、会議α，β，γの種類に応じて異なった刺激の付与の仕方を選択することができる。たとえば、複数種類の会議α，β，γのそれぞれに適した全体生産性の値の算出の態様を予め定めておくことにより、複数の会議参加者１，２，３，４に会議α，β，γの種類に応じて適した刺激を付与することができる。
【００７９】
（３）  全体生産性算出部２２は、次の３つの要素を加えた値を、全体生産性の値として算出することが好ましい。
【００８０】
（ｉ）  複数の個人生産性の値の単位時間当たりの相加平均値×第１の係数Ａ，Ｄ，Ｇ
（ii）  複数の個人生産性の値から抽出され得る任意の２つの値の相関係数の単位時間当たりの相加平均値（同期現象）×第２の係数Ｂ，Ｅ，Ｈ
（iii）  初期値Ｃ，Ｆ，Ｉ
前述の任意の２つの値の相関係数は、次の式（１）によって算出される。
【００８１】
【数２】
0006355050.tif 000003
上記の構成によれば、個人生産性の平均値および個人生産性の相関係数のそれぞれの影響が反映された全体生産性の値を算出することが可能になる。
【００８２】
（４）  会議α，β，γの種類を選択するための選択部４０を備えていることが好ましい。この場合、第１の係数、第２の係数、および初期値は、選択部４０を用いて選択された会議α，β，γの種類に応じて予め定められた値である。
【００８３】
上記の構成によれば、会議α，β，γの種類に応じて、複数の会議参加者１，２，３，４の個人生産性の低下の同期が会議に与える悪影響を抑制することができる。
【００８４】
（５）  全体生産性算出部２２は、複数の会議参加者１，２，３，４の複数の個人生産性の値の合計値、平均値、および中央値のいずれかを全体生産性として算出してもよい。
【００８５】
これによれば、複数の会議参加者の複数の個人生産性の平均値および中央値のいずれかを向上させることができる。
【００８６】
（６）  生体計測部１０は、複数の会議参加者１，２，３，４のそれぞれごとに、個人生産性と相関がある生体情報として、２種類以上の個人生産性と相関がある生体情報を計測することが好ましい。この場合、個人生産性取得部２１は、複数の会議参加者１，２，３，４のそれぞれごとに、２種類以上の個人生産性と相関がある生体情報にそれぞれ対応する２種類以上の個人生産性の値を取得する。全体生産性算出部２２は、複数の会議参加者１，２，３，４のそれぞれごとに、２種類以上の個人生産性の値に基づいて、２種類以上の全体生産性の値を算出する。判定部２３は、全体生産性算出部２２で算出された２種類以上の全体生産性の値のそれぞれが予め定められた閾値未満であるか否かを判定する。刺激付与部３０は、判定部２３によって２種類以上の全体生産性の値のうちの少なくとも１つの全体生産性が閾値未満であると判定された場合に、複数の会議参加者１，２，３，４に少なくとも１つの全体生産性の値を増加させる刺激を付与する。
【００８７】
上記の構成によれば、２種類以上の全体生産性のうちのいずれか１つでも全体生産性が低下した場合に、その低下した全体生産性を向上させることができる。
【００８８】
（７）  生体計測部１０は、個人生産性と相関がある生体情報として、集中度と相関がある生体情報、コミュニケーション度と相関がある生体情報、およびリラックス度と相関がある生体情報のうちの少なくともいずれか１つを計測することが好ましい。
【００８９】
上記の構成によれば、会議全体の集中度、コミュニケーション度、およびリラックス度のうち少なくともいずれか１つを向上させることができる。
る。
【００９０】
（８）  会議システム用プログラムは、会議システム１００に用いられる。会議システム用プログラムは、制御部２０としてのコンピュータを、次の４つの部分として機能させる。
【００９１】
（ｉ）  生体計測部１０により計測された複数の個人生産性と相関がある生体情報にそれぞれ対応する複数の個人生産性の値を取得する個人生産性取得部２１
（ii）  個人生産性取得部２１により取得された複数の個人生産性の値を用いて、全体生産性の値を算出する全体生産性算出部２２
（iii）  全体生産性算出部２２で算出された全体生産性の値が予め定められた閾値未満であるか否かを判定する判定部２３
（iv）  判定部２３によって全体生産性の値が閾値未満であると判定された場合に、複数の会議参加者１，２，３，４に全体生産性の値を増加させる刺激を付与するように、刺激付与部３０を駆動する駆動部２４
【符号の説明】
【００９２】
１，２，３，４  会議参加者
１０  生体計測部
２０  制御部
２１  個人生産性取得部
２２  全体生産性算出部
２３  判定部
２４  駆動部
３０  刺激付与部
４０  選択部
１００  会議システム
α，β，γ  会議
【図１】
0006355050.tif 000004
【図２】
0006355050.tif 000005
【図３】
0006355050.tif 000006
【図４】
0006355050.tif 000007
【図５】
0006355050.tif 000008
【図６】
0006355050.tif 000009
【図７】
0006355050.tif 000010
【図８】
0006355050.tif 000011
【図９】
0006355050.tif 000012
【図１０】
0006355050.tif 000013
【図１１】
0006355050.tif 000014